(57)【要約】【課題】本発明は、長尺原稿の画像読み取りを安定して行う画像読み取り装置及び画像形成装置に関する。【解決手段】デジタル複写装置１は、コンタクトガラス５１を挟んで原稿と反対側に、千鳥状に３つのＣＩＳ５２ａ〜５２ｃが配設され、ＣＩＳ５２ａ〜５２ｃの重なり合い部分のうち所定領域部分を繋ぎ部として、２つのＣＩＳ５２ａ〜５２ｃの繋ぎ部が読み取る画像データを繋ぎ合わせて原稿画像データを取得するとともに、ＣＩＳ５２ａ〜５２ｃの端部の読み取り可能領域内であって原稿読み取り領域外の所定領域部分を補正データ作成部として、コンタクトガラス６１のＣＩＳ５２ａ〜５２ｃ側面の補正データ作成部に対向する位置に配設されている基準板５３ａ〜５３ｃを、原稿読み取り時に、該補正データ作成部で読み取って光源の光量変動を検知し、該検知結果に基づいて、ＣＩＳ５２ａ〜５２ｃの読み取った原稿の画像データを補正する。【選択図】          図２
2012010320.tif 000002
【特許請求の範囲】
【請求項１】
原稿をコンタクトガラスに沿って搬送する原稿搬送手段と、
供給される点灯信号に応じた光量の読み取り光を出射する光源と、
前記コンタクトガラスを挟んで前記原稿搬送手段によって搬送される原稿と反対側に配設され、原稿で反射された前記読み取り光を光電変換して該原稿の画像を読み取って画像データを出力する複数のイメージセンサアレイを有する画像読み取り手段であって、該複数のイメージセンサはそれぞれ原稿搬送方向に所定量位置ずれし、原稿の画像読み取りに使用される所定領域部分である原稿読み取り領域がそれぞれの端部で所定量重なり合った状態で、原稿搬送方向と直交する主走査方向に延在する画像読み取り手段と、
複数の前記イメージセンサアレイの前記原稿読み取り領域から読み取られた画像データを繋ぎ合わせる画像繋ぎ手段と、
前記イメージセンサアレイの端部のうち少なくとも一方側端部の前記読み取り光が受光可能な読み取り可能領域内であって前記原稿読み取り領域外の所定領域部分である基準データ取得部と、
前記基準データ取得部に対向するとともに、前記コンタクトガラスの該イメージセンサアレイ側の面から該イメージセンサアレイまでの間の任意の位置に配設される基準データ提供手段と、
原稿を読み取るときに、複数の前記イメージセンサアレイの前記基準データ取得部が前記基準データ提供手段を読み取って出力する前記基準データに基づいて前記光源の光量変動を検知する光量変動検知手段と、
前記光量変動検知手段の検知結果に基づいて、前記イメージセンサアレイの読み取った画像データを補正する補正処理と前記光源の光量を補正する光量補正処理とのうち少なくともいずれか一方を行う補正手段と、
を備えていることを特徴とする画像読み取り装置。
【請求項２】
前記画像読み取り装置は、
前記コンタクトガラスの前記原稿が搬送される側に、前記画像読み取り手段の全ての前記イメージセンサアレイが読み取り可能な状態で配設され、白基準データを提供する白基準データ提供手段と、
前記イメージセンサアレイの出力するデータの信号レベルを所定信号レベルに調整する信号レベル調整手段と、
前記イメージセンサアレイが前記白基準データ提供手段を読み取った白基準データに基づいて前記信号レベル調整手段の信号レベル調整におけるゲインを設定するゲイン設定手段と、
を備え、
前記基準データ提供手段は、該イメージセンサアレイが原稿を読み取る前に前記ゲイン設定手段が設定したゲインによって該イメージセンサアレイの前記基準データ取得部の出力する基準データの信号レベルを調整した場合に、該基準データの信号レベルが飽和未満であって、かつ、前記光源の光量が減衰した場合においても該基準データの信号レベルが０以上を維持する濃度の色が施されていることを特徴とする請求項１記載の画像読み取り装置。
【請求項３】
前記基準データ提供手段は、前記イメージセンサアレイ側の面を前記基準データを提供する基準データ提供面とし、少なくとも該基準データ提供面の全面に前記濃度の色が施されていることを特徴とする請求項２記載の画像読み取り装置。
【請求項４】
前記基準データ提供手段は、前記基準データ提供面の外周部分に、所定幅で前記濃度色より明度の低い色が施されていることを特徴とする請求項２記載の画像読み取り装置。
【請求項５】
前記イメージセンサアレイは、データとして、ＲＧＢの各色のデータを出力し、
前記補正手段は、前記光量変動検知手段の検知結果に基づいて、前記イメージセンサアレイの読み取った画像データを補正する補正係数をＲＧＢの各色の画像データに対して生成し、該補正係数を用いてＲＧＢの各画像データに対して補正を行うことを特徴とする請求項１から請求項４のいずれかに記載の画像読み取り装置。
【請求項６】
前記イメージセンサアレイは、データとして、ＲＧＢの各色のデータを出力し、
前記補正手段は、前記光量変動検知手段の検知結果に基づいて、前記イメージセンサアレイの読み取った画像データを補正する補正係数をＲＧＢのうち１色の画像データに対してのみ生成し、該補正係数を用いてＲＧＢの各画像データに対して補正を行うことを特徴とする請求項１から請求項４のいずれかに記載の画像読み取り装置。
【請求項７】
前記補正手段は、前記光量変動検知手段の検知結果に基づいて、前記光源に供給する前記点灯信号のパルス数を調整して該光源の光量を補正することを特徴とする請求項１から請求項６のいずれかに記載の画像読み取り装置。
【請求項８】
前記補正手段は、前記光量変動検知手段の検知結果に基づいて、前記光源に供給する前記点灯信号のパルス幅を調整して該光源の光量を補正することを特徴とする請求項１から請求項６のいずれかに記載の画像読み取り装置。
【請求項９】
前記補正手段は、前記光量変動検知手段の検知結果に基づいて、前記イメージセンサアレイの読み取った画像データの信号レベルを補正することを特徴とする請求項１から請求項６のいずれかに記載の画像読み取り装置。
【請求項１０】
前記補正手段は、
前記ゲイン設定手段の設定するゲインを調整するゲイン調整手段を備え、
前記光量変動検知手段の検知結果に基づいて、前記ゲイン設定手段の設定するゲインを調整して前記イメージセンサアレイの読み取った画像データの信号レベルを補正することを特徴とする請求項２から請求項６のいずれかに記載の画像読み取り装置。
【請求項１１】
画像読み取り部で原稿の画像を読み取った画像データに基づいて画像形成部で画像形成媒体に所定の画像形成方式で画像形成する画像形成装置において、前記画像読み取り部として、請求項１から請求項１０のいずれかに記載の画像読み取り装置を搭載していることを特徴とする画像形成装置。
【発明の詳細な説明】
【技術分野】
【０００１】
本発明は、画像読み取り装置及び画像形成装置に関し、詳細には、光源光量の変動を考慮して長尺原稿の画像読み取りを安定して行う画像読み取り装置及び画像形成装置に関する。
【背景技術】
【０００２】
複写装置、複合装置、ファクシミリ装置等の画像読み取り装置、特に、デジタル画像読み取り装置においては、読み取り密度の高密度化、読み取り速度の高速化が進みつつ、高Ｓ／Ｎ（信号／ノイズ）比を確保するために、読み取り対象である原稿に照射する光源の光量を大きくする傾向にある。
【０００３】
ところが、光源光量は、今日の光源においては、自己発熱や周囲温度等の影響により、経時変動が発生し、連続して画像の読み取りを行うと、例えば、図１６に示すように、光量が徐々に低下するという光量変動特性を有している。
【０００４】
このような光源の光量変動特性に対して、従来、副走査方向に長い長尺原稿での光量変動を補正するために、千鳥状に配設された複数のイメージセンサアレイの原稿読み取り範囲外であって有効読み取り範囲内に設定された補正データ作成範囲で読み取られる白基準部における原稿の読み取り開始時の読み取りデータと、原稿読み取り時の読み取りデータとから個々のイメージセンサアレイ毎に補正データを作成し、作成した補正データに基づいて読み取り画像信号を補正する技術が提案されている（特許文献１参照）。
【発明の概要】
【発明が解決しようとする課題】
【０００５】
しかしながら、上記公報記載の従来技術にあっては、白基準部における原稿の読み取り開始時のデータと原稿読み取り時の読み取りデータから補正データを作成しているため、千鳥状に配設されたイメージセンサアレイ、例えば、ＣＩＳ（Contact Image Sensor：密着イメージセンサアレイ）を用いた画像読み取り装置では、原稿が密接した状態で搬送されるコンタクトガラスを挟んで該原稿と反対側にＣＩＳが配置され、原稿側に配置されている圧板に白基準部が設けられていて、ＣＩＳがこの基準部を読み取っている。
【０００６】
すなわち、図１７に示すように、画像読み取り部１０００は、前ローラ対１００１と後ローラ対１００２の間に、ＣＩＳ１００３ａ〜１００３ｃが千鳥状に配設されており、ＣＩＳ１００３ａ〜１００３ｂの上方にコンタクトガラス１００４が配設されている。画像読み取り部１０００は、コンタクトガラス１００４の上方に所定間隔空けて圧板１００５が最大原稿幅の主走査方向全域を覆う状態で配設されており、圧板１００５は、コンタクトガラス１００４側の面、すなわち、ＣＩＳ１００３ａ〜１００３ｃ側の面が白色に施されていて、コンタクトガラス１００４との間を搬送される原稿Ｇをコンタクトガラス１００４に押しつけるとともに、上記基準部として機能する。
【０００７】
そして、公報記載の従来技術にあっては、図１７に示すように、このＣＩＳ１００３ａ〜１００３ｃの両端部を補正データ作成部１００６として、この補正データ作成部１００６によって圧板１００５の基準部を、原稿読み取り開始時と原稿読み取り時に読み取って、補正データを作成している。
【０００８】
ところが、図１７に示すように、例えば、原稿Ｇの主走査方向の幅が中央のＣＩＳ１００３ｂの幅を超える場合、中央のＣＩＳ１００３ｂの補正データ作成部１００６は圧板１００５の白基準部を読み取ることができず、実際には、原稿読み取り時の白基準部の読み取りデータとして、他のＣＩＳ１００３ａ、１００３ｃの補正データ作成部１００６が白基準部を読み取った読み取りデータを採用して、補正データを作成することとなり、補正精度が悪化するおそれがあった。そのため、補正精度を向上させる上で、改良の必要があった。
【０００９】
そこで、本発明は、主走査方向に複数配設されたイメージセンサアレイのうち、読み取り対象の原稿が、該原稿の読み取りを行うイメージセンサアレイの主走査方向の長さを超える幅を有した原稿であっても、光源の光量変動による読み取り画像の画像品質の劣化を抑制することのできる画像読み取り装置及び画像形成装置を提供することを目的としている。
【課題を解決するための手段】
【００１０】
本発明は、上記目的を達成するために、原稿で反射された光源からの読み取り光を光電変換して画像データを出力するとともに原稿搬送方向に所定量位置ずれしてそれぞれの端部の原稿読み取り領域が所定量重なり合った状態で主走査方向に延在して、コンタクトガラスを挟んで原稿と反対側に配設された複数のイメージセンサアレイが、該イメージセンサアレイが読み取る画像データを繋ぎ合わせて該重なり部分の原稿画像データを取得するとともに、該イメージセンサアレイの端部のうち少なくとも一方側端部の読み取り可能領域内であって原稿読み取り領域外の所定領域部分を基準データ取得部として、該基準データ取得部に対向するとともにコンタクトガラスの該イメージセンサアレイ側の面から該イメージセンサアレイまでの間の任意の位置に配設されて所定の光量変動検知用の基準データを提供する基準データ提供手段を、原稿読み取り時に、イメージセンサアレイの基準データ取得部が読み取って出力する基準データに基づいて光源の光量変動を検知し、該検知結果に基づいて、イメージセンサアレイの読み取った画像データを補正する補正処理と前記光源の光量を補正する光量補正処理とのうち少なくともいずれか一方を行うことを特徴としている。
【００１１】
また、本発明は、前記基準データ提供手段の少なくとも前記イメージセンサアレイ側の面が、原稿読み取り前に、該イメージセンサアレイが白基準データ提供手段を読み取った白基準データに基づいて設定されたゲインによって、イメージセンサアレイの出力するデータの信号レベルを調整する信号レベル調整手段が、該イメージセンサアレイの前記基準データ取得部の出力する基準データの信号レベルを調整した場合に、該基準データの信号レベルが飽和未満であって、かつ、前記光源の光量が減衰した場合においても該基準データの信号レベルが０以上を維持する濃度の色に施されていることを特徴としてもよい。
【００１２】
さらに、本発明は、前記イメージセンサアレイが、データとして、ＲＧＢの各色のデータを出力する場合に、前記光量変動検知手段の検知結果に基づいて、前記イメージセンサアレイの読み取った画像データを補正する補正係数をＲＧＢの各色の画像データに対して生成、または、ＲＧＢの１色の画像データに対して生成し、該補正係数を用いてＲＧＢの各画像データに対して補正を行うことを特徴としてもよい。
【００１３】
また、本発明は、前記光量変動検知手段の検知結果に基づいて、前記光源に供給する前記点灯信号のパルス数またはパルス幅を調整して該光源の光量を補正することを特徴としてもよい。
【００１４】
さらに、本発明は、前記光量変動検知手段の検知結果に基づいて、イメージセンサアレイの読み取った画像データの信号レベルを調整することを特徴としてもよい。
【発明の効果】
【００１５】
本発明によれば、主走査方向に複数配設されたイメージセンサアレイのうち、読み取り対象の原稿が、該原稿の読み取りを行うイメージセンサアレイの主走査方向の長さを超える幅を有した原稿であっても、光源の光量変動による読み取り画像の画像品質の劣化を抑制することができる。
【図面の簡単な説明】
【００１６】
【図１】本発明の第１実施例を適用したデジタル複写装置の正面概略構成図。
【図２】画像読み取り部の上面図。
【図３】画像読み取り部の側面図。
【図４】ＣＩＳの配置状態の説明図。
【図５】ＣＩＳの補正データ作成部の拡大説明図。
【図６】画像読み取り部のＡ／Ｄ変換部のブロック構成図。
【図７】基準板のパターン例を示す図。
【図８】デジタル複写装置の画像読み取り系統の要部ブロック構成図。
【図９】副走査読み取りタイミングを示す図。
【図１０】主走査繋ぎ処理の説明図。
【図１１】補正係数の追従速度の一例を示す図。
【図１２】第２実施例のデジタル複写装置における画像読み取り系統の要部ブロック構成図。
【図１３】光源点灯制御タイミング図。
【図１４】光量調整処理を示すフローチャート。
【図１５】第３実施例のデジタル複写装置における画像読み取り系統の要部ブロック構成図。
【図１６】画像データ読み取り時の光源光量の経時変化の一例を示す図。
【図１７】従来の画像読み取り部の上面図。
【発明を実施するための形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図１１は、本発明の画像読み取り装置及び画像形成装置の第１実施例を示す図であり、図１は、本発明の画像読み取り装置及び画像形成装置の第１実施例を適用したデジタル複写装置１の正面概略構成図である。
【００１９】
図１において、デジタル複写装置（画像形成装置）１は、本体筐体２内に、給紙部３、搬送部４、画像形成部５、定着部６、排紙部７及び画像読み取り部８等が収納されており、さらに、手差しトレイ１０、原稿台１１、排紙トレイ１２及び操作部（図示略）等が設けられている。デジタル複写装置１は、広幅の用紙に対応している。
【００２０】
給紙部３には、複数の用紙Ｐがセットされ、搬送部４は、レジストローラ２１等を備えて、給紙部３の適宜の用紙Ｐをレジストローラ２１でタイミング調整した後、画像形成部５に搬送する。また、搬送部４は、手差しトレイ１０上にセットされた用紙Ｐについても、レジストローラ２１でタイミング調整した後、画像形成部５に搬送する。
【００２１】
画像形成部５は、図１の反時計方向に回転駆動される感光体２２を中心として、帯電部、光書き込み部、現像部、転写部、クリーニング部等を備えており、帯電部は、感光体２２を一様に帯電（例えば、−１２００Ｖに帯電）させる。画像形成部５は、帯電部により一様に帯電された感光体２２に、画像読み取り部８で読み取った原稿の画像データに基づいて点灯制御される光を光書き込み部２３が照射することで、光の照射された部分の感光体２２の表面の電荷を消滅させて静電潜像を形成して、静電潜像の形成された感光体２２に現像部がトナーを付着させてトナー画像を形成する。画像形成部５は、感光体２２上に形成したトナー画像を、給紙部３から搬送されてきた用紙Ｐに転写部で転写し、転写の完了した用紙Ｐを分離チャージャにより分離して定着部６に搬送する。また、画像形成部５は、転写の完了した感光体２２上の残留トナーをクリーニング部でクリーニングし、清浄にクリーニングされた感光体２２を除電部で除電した後、帯電部で一様に帯電させて、再度、画像形成に供する。
【００２２】
デジタル複写装置１には、本体筐体２の背面側に、紙折り装置３０が連結されており、紙折り装置３０は、画像形成済みの用紙Ｐに対して、端面折りやジャバラ状折り等の折処理を行う。紙折り装置３０は、本体筐体２との連結部３１、用紙Ｐの耳を折る耳折り部３２、用紙Ｐを搬送方向にジャバラ状に折るジャバラ折り部３３、搬送方向を９０°変更する搬送切り換え装置３４、クロス折り装置（図示略）、表裏を反転させる反転装置３５、用紙Ｐを９０°回転させて、例えば、Ａ４横をＡ４縦に切り替える回転装置３６及び折られた用紙Ｐを排出しスタックするトレイ３７等を備えている。
【００２３】
デジタル複写装置１は、画像形成部５で画像形成して定着部６で定着の完了した用紙Ｐを、排紙部７により、紙折り等の後処理を行う場合は紙折り装置３０へ排出し、紙折りを行わない場合は、図示されていない切り換え爪により排紙トレイ１２へ排出する。
【００２４】
紙折り装置３０は、画像形成された用紙Ｐに対して、耳折りする場合は、耳折り部３２で用紙Ｐの角部を折り、その後、ジャバラ折り部３３でジャバラ状に折りを施して、搬送切り換え装置３４に送られる。折り装置３０は、搬送切り換え装置３４で、送り込まれてきた用紙Ｐの搬送方向を切り換えて、ジャバラ折りされた用紙Ｐの短手方向をクロス折り装置で折りを施させ、反転装置３５で表裏を反転させて、さらに、用紙方向を回転装置で回転させて、トレイ３７上にスタックする。
【００２５】
そして、デジタル複写装置１は、上記画像読み取り部８が、図２及び図３に示すように、原稿Ｇの搬送方向（副走査方向）に対して手前側に位置する前ローラ対４１、センサ部４２及び後ローラ対４３、圧板４４ａ、４４ｂ等を備えており、前ローラ対４１には、原稿台１１から該原稿台１１上にセットされた複数枚の原稿Ｇが１枚ずつ分離されて送り出されてくる。
【００２６】
センサ部（画像読み取り手段）４２は、主走査方向に最大原稿幅読み取りサイズよりも長く、副走査方向に所定幅を有するセンサ本体筐体５０の上面部にコンタクトガラス５１が配設されており、センサ本体筐体５０内には、３つのＣＩＳ（イメージセンサアレイ）５２ａ、５２ｂ、５２ｃが、ＣＩＳ５２ａを基準として、ＣＩＳ５２ｂがメカニカルレイアウト上、副走査方向に所定量位置ずれして両端部が所定量重なり合う状態で配設されていて、副走査方向に千鳥状に配設されている。すなわち、図２に示すように、中央部のＣＩＳ５２ｂが原稿Ｇの搬送方向手前側に位置しており、ＣＩＳ５２ａ及びＣＩＳ５２ｃは、中央のＣＩＳ５２ｂとの間で、副走査方向において、主走査方向所定長さにおいてその端部が重なっている。
【００２７】
各ＣＩＳ５２ａ〜５２ｃは、図３にＣＩＳ５２ｂとＣＩＳ５２ｃについて示すように、光源６１ａ〜６１ｃ、レンズ６２ａ〜６２ｃ及びイメージセンサアレイ６３ａ〜６３ｃを備えており、イメージセンサアレイ６３ａ〜６３ｃは、ＣＭＯＳ（Complementary Metal Oxide Semiconductor ）やＣＣＤ（Charge Coupled Device ）等のイメージセンサがアレイ状に並べられているイメージセンサアレイである。また、センサ部４２には、各ＣＩＳ５２ａ〜５２ｃの一方側端部の有効画像範囲（読み取り可能領域）内で、かつ、原稿読み取り範囲（原稿読み取り領域）外の所定領域に対応する位置であって、コンタクトガラス５１の原稿搬送面とは反対側のＣＩＳ５２ａ〜５２ｃ側の面に、基準板（基準データ提供手段）５３ａ〜５３ｃが配設されており、基準板５３ａ〜５３ｃは、そのＣＩＳ５２ａ〜５２ｃ側の面が白色に施されていて、光量変動を検知するための基準データを提供する。有効画像範囲（読み取り可能領域）とは、イメージセンサアレイが読み取り光を受光可能な領域である。また、原稿読み取り範囲（原稿読み取り領域）は、原稿の読み取りに使用される領域であり、より詳細にはこの領域で読み取った情報を画像情報として出力する領域である。詳細については後述する。なお、図２では、基準板５３ａ〜５３ｃは、上面から見てＣＩＳ５２ａ〜５２ｃの左側端部に配設されているが、右側端部あるいは両端部に配設されていてもよく、これらの場合、ＣＩＳ５２ａ〜５２ｃの基準板と対向する部分領域が該基準板を読み取る。また、図３では、基準板５３ａ〜５３ｃは、コンタクトガラス５１の裏面に直接取り付けられているが、光量の変動を検出するための基準板であるので、焦点がずれていても問題がないため、ＣＩＳ５２ａ〜５２ｃの上面部、あるいは、ＣＩＳ５２ａ〜５２ｃとコンタクトガラス５１との間に取り付けられていてもよい。
【００２８】
圧板４４ａは、副走査方向に所定幅を有し最大原稿幅を超える長さに渡ってＣＩＳ５２ｂ上であって、コンタクトガラス５１と所定距離離れた原稿Ｇの搬送側に配設されており、圧板４４ｂは、副走査方向に所定幅を有し最大原稿幅を超える長さに渡ってＣＩＳ５２ａ及びＣＩＳ５２ｃ上であって、コンタクトガラス５１と所定距離離れた原稿Ｇの搬送側に配設されている。圧板４４ａ及び圧板４４ｂは、コンタクトガラス５１との間に搬送されてくる原稿Ｇをコンタクトガラス５１に押しつけつつ搬送させるとともに、そのＣＩＳ５２ａ〜５２ｃ側の面が白色に施されていて、光源６１ａ〜６１ｃの照射斑やイメージセンサアレイ６３ａ〜６３ｃの感度バラツキを補正するシェーディング補正の白基準データを提供する白基準データ提供手段として機能する。
【００２９】
ＣＩＳ５２ａ〜５２ｃは、光源６１ａ〜６１ｃからコンタクトガラス５１を通して圧板４４ａ、４４ｂに読み取り光を照射して、その反射光を、レンズ６２ａ〜６２ｃを通してイメージセンサアレイ６３ａ〜６３ｃに集光し、イメージセンサアレイ６３ａ〜６３ｃが入射光を光電変換することで、基準データを取得する。また、ＣＩＳ５２ａ〜５２ｃは、原稿Ｇの読み取り時、コンタクトガラス５１と圧板４４ａ、４４ｂの間を搬送される原稿Ｇに、光源６１ａ〜６１ｃからコンタクトガラス５１を通して読み取り光を照射して、その反射光をレンズ６２ａ〜６２ｃを通してイメージセンサアレイ６３ａ〜６３ｃに集光し、イメージセンサアレイ６３ａ〜６３ｃが入射光を光電変換することで、原稿Ｇの画像を読み取る。さらに、ＣＩＳ５２ａ〜５２ｃは、白基準板５３ａ〜５３ｃに光源６１ａ〜６１ｃから読み取り光を照射して、その反射光を、レンズ６２ａ〜６２ｃを通してイメージセンサアレイ６３ａ〜６３ｃに集光し、イメージセンサアレイ６３ａ〜６３ｃが入射光を光電変換することで、光量変動検知用の基準データを取得する。
【００３０】
そして、ＣＩＳ５２ａ〜５２ｃは、上述のように、その一部が重なり合うように千鳥状に配設されており、図４に示すように、主走査方向において重複読み取り範囲を有している。すなわち、ＣＩＳ５２ａとＣＩＳ５２ｂ及びＣＩＳ５２ｂとＣＩＳ５２ｃは、その重なり部分において、有効画像範囲（読み取り可能領域）と原稿読み取り範囲（原稿読み取り領域）が端部において重複部分を有している。そこで、デジタル複写装置１は、これらの重複部分のうち、ＣＩＳ５２ａとＣＩＳ５２ｂの原稿読み取り範囲（原稿読み取り領域）における重複部分である繋ぎ部６４において読み取った画像信号を電気的に繋ぎ合わせることにより、また、ＣＩＳ５２ｂとＣＩＳ５２ｃの原稿読み取り範囲における重複部分である繋ぎ部６５において読み取った画像信号を電気的に繋ぎ合わせることにより、ズレのない画像を得ている。また、デジタル複写装置１は、ＣＩＳ５２ａ〜５２ｃの図４の左側の有効画像範囲（読み取り可能領域）内であって、原稿読み取り範囲（原稿読み取り領域）外の領域を、補正データ作成部６６ａ〜６６ｃとし、対向する位置に上記基準板５３ａ〜５３ｃが配設されていて、補正データ作成部６６ａ〜６６ｃで、この基準板５３ａ〜５３ｃを読み取って光量変動検知用の基準データとして出力する。
【００３１】
また、主走査方向の繋ぎ部６４、６５の画素位置は、図５に示すように、各ＣＩＳ５２ａ、５２ｂ、５２ｃで個別に設定可能であり、画像の繋ぎ位置を調整することができる。補正データ作成部６６ａ〜６６ｃの画素位置は、同様に、基準板５３ａ〜５３ｃを読み取ることができる範囲内で設定可能である。しかし、繋ぎ部６４、６５の画素位置は、原稿画像を読み取るため、補正データ作成部６６ａ〜６６ｃの領域にかからない位置に設定する必要がある。また、補正データ作成部６６ａ〜６６ｃが基準板５３ａ〜５３ｃを読み取る際のフレアの影響を避けるために、補正データ作成部６６ａ〜６６ｃと繋ぎ部６４、６５は、図５に示すように、所定の間隔を空けるように設定する。
【００３２】
そして、補正データ作成部６６ａ〜６６ｃは、ＣＩＳ５２ａ〜５２ｃにおいて通常に画像データを読み取ることができる範囲であるため、原稿読み取りの際に、同時にデータを取得することができ、原稿の画像の読み取りと同時にライン毎に基準板５３ａ〜５３ｃを読み取って、基準データを取得する。デジタル複写装置１は、後述するように、この補正データ作成部６６ａ〜６６ｃの取得した基準データの変動に基づいて、光量が変動しているか否かを検知する。
【００３３】
さらに、デジタル複写装置１は、ＣＩＳ５２ａ、５２ｃとＣＩＳ５２ｂとが原稿Ｇの搬送方向（副走査方向）において所定間隔空けて配設されているため、副走査方向上流側に配設されているＣＩＳ５２ｂのイメージセンサアレイ６３ｂの出力する画像データを一旦メモリに保存し、所定の遅延量を持たせて副走査方向下流側のＣＩＳ５２ａ、５２ｃのイメージセンサアレイ６３ａ、６３ｃの画像データと繋ぎ合わせて、副走査方向に繋いだ画像を取得する。
【００３４】
デジタル複写装置１は、上記主走査方向及び副走査方向の画像の繋ぎ合わせを組み合わせて行うことで、千鳥配置した３つのイメージセンサアレイ６３ａ〜６３ｃから１本のイメージセンサアレイで読み取ったような画像を取得する。
【００３５】
そして、画像読み取り部８は、図６にＣＩＳ５２ａの場合について示すように、各ＣＩＳ５２ａ〜５２cの各イメージセンサアレイ６３ａ〜６３ｃにＡＣ結合コンデンサＣを介してＡ／Ｄ（アナログ／デジタル）変換部７０ａ〜７０ｃ（なお、図６には、ＣＩＳ５２ａに接続されているＡ／Ｄ変換部７０ａのみが示されている。）が接続されている。図６において、Ａ／Ｄ変換部７０ａは、ＳＨ回路（サンプルホールド回路）７１ａ、ＶＧＡ（可変ゲインアンプ）７２ａ、ＡＤＣ（アナログデジタル変換回路）７３ａ、ＡＧＣ回路（自動ゲインコントロール回路）７４ａ、クランプ回路（ＣＬＡＭＰ回路）７５ａ及びＴＧ＆Ｉ／Ｆ７６ａ等を備えている。なお、ＣＩＳ５２ａ以外のＣＩＳ５２ｂ、５２ｃについても、図示しないが、同様の構成のＡ／Ｄ変換部７０ｂ、７０ｃが接続されている。
【００３６】
クランプ回路７５ａは、ＡＣ結合コンデンサＣによって交流結合されたＣＩＳ５２ａのイメージセンサアレイ６３ａからの入力端子電位を規定し、ＳＨ回路７５ａは、ＡＣ結合コンデンサＣを介してＣＩＳ５２ａからの入力のうち、信号成分のみをサンプルホールドして（取り出して）、ＶＧＡ回路７２ａに出力する。
【００３７】
ＶＧＡ回路（信号レベル調整手段）７２ａは、ＴＧ＆Ｉ／Ｆ７６ａから指定される増幅率で、ＳＨ回路７１ａによってサンプルホールドされたアナログ信号を増幅して、ＡＤＣ回路７３ａに出力し、ＡＤＣ回路（ゲイン設定手段）７３ａは、ＶＧＡ回路７２ａから入力されるアナログ信号をデジタル信号に変換して、外部に出力する。ＡＧＣ回路７４ａは、ＡＤＣ回路７３ａの出力する１ライン分のデジタル信号のピーク値を検出し、該ピーク値がＴＧ＆Ｉ／Ｆ７１ａから入力される白レベル目標値になるようにＶＧＡ回路７２ａのゲインを調整する。ＴＧ＆Ｉ／Ｆ７１ａは、ＣＩＳ５２ａのイメージセンサアレイ６３ａの駆動パルスを発生させるとともに、外部からの制御信号を上記各回路に出力する。
【００３８】
そして、デジタル複写装置１は、原稿読み取り中の上記ＶＧＡ回路７２ａ〜７２ｃのゲイン調整を、基準板５３ａ〜５３ｃを読み取ったときのデータに基づいて行う。そして、この基準板５３ａ〜５３ｃのＣＩＳ５２ａ〜５２ｃ側の面には、図７に示すような基準パターンＰ１〜Ｐ４が設けられる。すなわち、イメージセンサアレイ６３ａ〜６３ｃの補正データ作成部６６ａ〜６６ｃの出力する基準データは、ＡＧＣ回路７４ａによるＶＧＡ回路７２ａのゲイン調整を圧板４４ａ、４４ｂの読み取りデータで調整した際に、飽和しない濃度であり、基準板５３ａ〜５３ｃは、光源６１ａ〜６１ｃの光量が徐々に減衰して出力が下がり切ったところで「０」以上の出力が得られる濃度のデータをイメージセンサアレイ６３ａ〜６３ｃが出力することのできる均一な表面状態（濃度色）であればよく、例えば、図７のパターンＰ１あるいはパターンＰ２が該当しており、イメージセンサアレイ６３ａ〜６３ｃ側の面が基準データを提供する基準データ提供面として、少なくとも該基準データ提供面の全面に上記濃度の色が施されている。また、基準板５３ａ〜５３ｃのパターンとしては、上述したイメージセンサアレイ６３ａ〜６３ｃの主走査方向における繋ぎ部６４、６５の画像データに、補正データ作成用基準のフレアの影響を与えないように空ける間隔を小さくするため、図７のパターンＰ３やパターンＰ４のように、回りを所定幅で帯状に黒く縁取りしたパターンを用いてもよい。すなわち、基準板５３ａ〜５３cのＣＩＳ５２ａ〜５２ｃ側の面を基準データ提供面として、その外周部分に、所定幅で基準データを提供する濃度色よりも明度の低い色が施されている。
【００３９】
そして、デジタル複写装置１は、その画像読み取り系統が、図８に示すようにブロック構成されており、上記センサ部４２、ＣＰＵ（Central Processing Unit ）８１、ＲＡＭ（Random Access Memory）８２及び画像処理部８３等を備えている。
【００４０】
ＣＰＵ８１は、センサ部４２、画像処理部８３及びＲＡＭ８２のデータの制御を行い、ＲＡＭ８２には、各ＣＩＳ５２ａ〜５２ｃから出力される画像データを副走査方向に繋ぎ合わせるための基準の遅延量及び主走査方向に正確に繋ぎ合わせるために必要な隣接するＣＩＳ５２ａ〜５２ｃから得られる基準の主走査合計画素数が記憶される。
【００４１】
センサ部４２は、上述のように、３つのＣＩＳ５２ａ〜５２ｃとＡ／Ｄ変換部７０ａ〜７０ｃ等を備えており、ＣＩＳ５２ａ〜５２ｃのイメージセンサアレイ６３ａ〜６３ｃの出力するアナログのデータをＡ／Ｄ変換部７０ａ〜７０ｃでデジタル変換して、画像処理部８３に出力する。
【００４２】
画像処理部８３は、シェーディング補正部９１、光量変動検知／補正部９２、主走査繋ぎ目補正処理部９３、各ＣＩＳ５２ａ〜５２ｃに対応したメモリ９４ａ〜９４ｃ、副走査遅延量（位置合わせ）処理部９５及び１ラインか（画像データ出力）部９６等を備えている。
【００４３】
画像処理部８３は、センサ部４２からデジタル変換された画像データがシェーディング補正部９１に入力され、シェーディング補正部９１は、原稿読み取り前に圧板４４ａ、４４ｂを読み取った白基準データに基づいて、原稿を読み取ったときの画像データをシェーディング補正処理して、光量変動検知／補正部９２に出力する。
【００４４】
光量変動検知／補正部（光量変動検知手段、補正手段）９２は、各ＣＩＳ５２ａ〜５２ｃの補正データ作成部６６ａ〜６６ｃが基準板５３ａ〜５３ｃを読み取った基準データから光量変動を検知して、原稿Ｇを読み取った原稿画像データの補正を行い、主走査繋ぎ目補正処理部９３に出力する。なお、光量変動検知及びデータ補正の詳細については、後述する。
【００４５】
主走査繋ぎ目補正処理部９３は、光量変動補正処理の施された画像データに対して、ＣＩＳ５２ａとＣＩＳ５２ｂが繋ぎ部６４において読み取った画像信号を電気的に繋ぎ合わせることにより、また、ＣＩＳ５２ｂとＣＩＳ５２ｃが繋ぎ部６５において読み取った画像信号を電気的に繋ぎ合わせることにより、主走査方向においてズレのない画像を生成してメモリ９４ａ〜９４ｃに格納する。
【００４６】
副走査遅延処理部９５は、ＲＡＭ８２に格納されている副走査方向のＣＩＳ５２ａ〜５２ｃの遅延量だけ遅延させて、すなわち、原稿先端検知によって検知した原稿先端を合わせるタイミングで、メモリ９４ａ〜９４ｃから画像データを読み出して、１ライン化部９６に出力し、１ライン化部９６は、副走査遅延処理された画像データを１ライン化して、後段の回路に出力する。
【００４７】
すなわち、ＣＰＵ８１は、図９に示す副走査画像読み取りタイミング図に示すように、各ＣＩＳ５２ａ〜５２ｃの副走査のタイミングを合わせて、メモリ９４ａ〜９４ｃから読み出して１ライン化部９６で１ライン化させる。
【００４８】
図９において、読み取り開始信号は、読み取り動作を開始するスタート信号であり、クロックＣＬＫは、読み取り動作のタイミング制御を行う基準信号である。黒ＳＨは、黒シェーディングデータを読み取るゲート信号であり、光源点灯は、アサート期間において各ＣＩＳ５２ａ〜５２ｃの光源６１ａ〜６１ｃを点灯させるための信号である。白ＳＨは、白シェーディングデータを読み取るゲート信号であり、副走査画像読み取り範囲は、アサート期間、全てのＣＩＳ５２ａ〜５２ｃで画像データの読み取りを行うゲート信号である。FGATEは、各ＣＩＳ５２ａ〜５２ｃの画像読み取りデータを１ライン化した後の副走査画像読み取り範囲を示すゲート信号である。
【００４９】
デジタル複写装置１は、図９に示すように、読み取り開始信号がアサートされると、スキャン動作を開始し、原稿Ｇがセンサ部４２のＣＩＳ５２ａ〜５２ｃの真上に搬送されてくる前に、黒ＳＨ期間で黒シェーディングを行った後、光源６１ａ〜６１ｃを点灯させて、光量安定時間経過後、圧板４４ａ、４４ｂをＣＩＳ５２ａ〜５２ｃによって読み取って、白ＳＨ期間に白シェーディング用のデータ（白基準データ）を取得する。デジタル複写装置１は、白シェーディングが終了すると、その直後から画像データの読み取りを開始し、この画像データの読み取り開始は、原稿ＧがＣＩＳ５２ａ〜５２ｃの読み取り位置に搬送されてくるよりも十分に前に開始する。例えば、白ＳＨが終了してから原稿搬送を開始してもよい。
【００５０】
デジタル複写装置１は、各ＣＩＳ５２ａ〜５２ｃの読み取りデータを、デジタル変換して画像処理部８３に送って、画像処理部８３で、上述のように、シェーディング補正、主走査繋ぎ処理を行い、一旦、メモリ９４ａ〜９４ｃに蓄積する。デジタル複写装置１は、その後、ＣＩＳ５２ａ〜５２ｃが千鳥状に配置されていることによる副走査の配置ズレ分に対応したライン数遅延させるタイミングでメモリ９４ａ〜９４ｃから画像データを読み出し、各ＣＩＳ５２ａ〜５２ｃの画像データを１ライン化して、後段に出力させる。
【００５１】
そして、主走査繋ぎ目補正処理部９３は、例えば、図１０に示すように、通常の主走査方向の繋ぎ処理を行う。すなわち、主走査繋ぎ目補正処理部９３は、図１０に示すように、繋ぎ合せる隣接するＣＩＳ５２ａ〜５２ｃの重なり部分を、１２８画素（８、１６、３２、６４、１２８で変更可能とする。）としたとき、重なり画素数を、例えば、８分割した単位（１２８画素の場合は、１６画素）に重み付け係数を乗算する演算を行う。すなわち、上記８つに分けたブロックに対して、ＣＩＳ５２ａの左から７／８、６／８、・・・１／８の係数を掛け、ＣＩＳ５２ｂでは、逆に右から７／８、６／８、・・・１／８の係数を掛ける。上記処理により、重なり部分のＣＩＳ５２ａに近いほど、ＣＩＳ５２ａの画素値に重みが置かれ、ＣＩＳ５２ｂに近いほどＣＩＳ５２ｂの画素値に重みが置かれて合成される。なお、上記説明では、繋ぎ目部分の重なり画素を８分割して重み付け係数演算を行っているが、分割数は、８分割に限るものではなく、例えば、１２８であれば、１画素毎に１２７／１２８、１２６／１２８、・・・１／１２８としてもよい。
【００５２】
なお、デジタル複写装置１は、原稿Ｇが傾いて挿入された場合や原稿Ｇが不定形であった場合に、全画像データが入るような用紙を自動で選択して複写する。また、デジタル複写装置１は、原稿Ｇが傾いて挿入された場合や原稿Ｇが不定形であった場合に、全画像データが入るような用紙がないときには、その旨を操作部のディスプレイに表示し、画像が切れてしまう状態で複写するか、全画像データが入る用紙をユーザが再セットすることを選択できるようになっている。
【００５３】
次に、本実施例の作用について説明する。本実施例のデジタル複写装置１は、画像読み取り部８が千鳥状に配置された３つのＣＩＳ５２ａ〜５２ｃによって原稿の読み取りを行うとともに、コンタクトガラス５１の下面に配設されている基準板５３ａ〜５３ｃを、原稿読み取り時においてもＣＩＳ５２ａ〜５２ｃで読み取って光源６１ａ〜６１ｃの光量変動を検出して、光量変動に対応するデータ補正を行う。
【００５４】
すなわち、デジタル複写装置１は、複写モード時やスキャナモード時に、原稿台１１にセットされた原稿Ｇを１枚ずつセンサ部４２へ搬送し、センサ部４２の千鳥状に配設された３つのＣＩＳ５２ａ〜５２ｃによってコンタクトガラス６１上を副走査方向に搬送される原稿Ｇを主走査して該原稿Ｇの画像を読み取る。
【００５５】
このとき、デジタル複写装置１は、図９に示したように、読み取り開始信号に基づいてスキャナを開始し、黒ＳＨで黒シェーディングデータの読み取りを行った後、光源６１ａ〜６１ｃを点灯させて、白ＳＨで、白シェーディングデータの読み取りを行う。デジタル複写装置１は、その後、原稿Ｇの読み取りを開始して、画像処理部８３が、センサ部４２から入力されるデジタルの画像データに対して、上述したシェーディング補正部９１でシェーディング補正を行い、後述する光量変動検知／補正処理を光量変動検知／補正部９２で行って、主走査繋ぎ目補正処理部９３で上記主走査繋ぎ処理を行った後、メモリ９４ａ〜９４ｃに蓄積する。デジタル複写装置１は、副走査遅延処理部９５がＣＩＳ５２ａ〜５２ｃの副走査方向の位置ずれ量に合わせたタイミングでメモリ９４ａ〜９４ｃから画像データを読み出して、遅延補正処理を行った後、１ライン化部９６が、１ライン化して、後段に出力する。
【００５６】
そして、デジタル複写装置１は、上記光量変動検知／補正部９２において、原稿読み取り時の光源６１ａ〜６１ｃの光量変動を検知して、該光量変動に対応するデータ補正を行う。
【００５７】
すなわち、ＣＩＳ５２ａ〜５２ｃの光源６１ａ〜６１ｃの光量は、図１６に示したように、点灯開始直後から、自己発熱や周囲温度の影響により、光量が徐々に下がり、発熱の飽和とともに減衰量も飽和する。この光源６１ａ〜６１ｃの光量を安定させる方法としては、原稿読み取り時以外の間も光源６１ａ〜６１ｃを点灯させて減衰飽和状態で原稿の読み取りを行う方法もとることはできるが、この方法では、デジタル複写装置１の製品寿命に対して光源寿命が短くなること、無駄な電力消費となり近年の省電力の要求に対して適切な方法とはいえない。また、原稿読み取り時に光量が安定するまで待った後に、原稿の読み取りを行う方法もあるが、原稿の読み取り開始までに時間がかかり、デジタル複写装置１の利用性を損なうため、通常は最低限の光量安定時間を空けて、白シェーディングデータの取得を行った後に、原稿データ取得を行う方法を採用することもできる。ところが、この方法にあっては、副走査方向に短い原稿であれば、原稿の先端と後端における光量差が小さく、画質の変化についても、差が目立たないが、原稿が副走査に長い長尺原稿であると、原稿の先端と後端における光量差が大きく、画質の変化が目立って、読み取り画像が悪化するという問題がある。
【００５８】
そこで、本実施例のデジタル複写装置１は、ＣＩＳ５２ａ〜５２ｃの端部を補正データ作成部６６ａ〜６６ｃとし、該補正データ作成部６６ａ〜６６ｃに対向する位置であって、コンタクトガラス６１の下面（ＣＩＳ５２ａ〜５２ｃ側の面）に、光量変動検知用の基準板５３ａ〜５３ｃを配設して、原稿Ｇの読み取り中に、ライン毎にまたは数ライン毎に、この基準板５３ａ〜５３ｃを補正データ作成部６６ａ〜６６ｃによって読み取る。画像処理部８３の光量変動検知／補正部９２が、この補正データ作成部６６ａ〜６６ｃによって基準板５３ａ〜５３ｃを読み取った基準データに基づいて、光量変動の検知と、光量変動に対応する原稿読み取りデータの補正を行う。すなわち、基準板５３ａ〜５３ｃは、原稿Ｇの搬送されるコンタクトガラス６１の下面に配設されており、原稿Ｇの読み取り中であっても、原稿Ｇを読み取っているＣＩＳ５２ａ〜５２ｃによって基準板５３ａ〜５３ｃを読み取ることができる。また、ＣＩＳ５２ａ〜５２ｃの原稿読み取り範囲（原稿読み取り領域）外であって有効画像範囲（読み取り可能領域）内に基準板５３ａ〜５３ｃが配設されているため、基準板５３ａ〜５３ｃが原稿Ｇを読み取る際に障害となることがなく、原稿Ｇの読み取り時に、基準板５３ａ〜５３ｃをも読み取ることができる。そして、光量変動検知／補正部９２は、ＣＩＳ５２ａ〜５２ｃの補正データ作成部６６ａ〜６６ｃの読み取った基準板５３ａ〜５３ｃの読み取りデータに基づいて光量変動の検知と、光量変動に対する原稿読み取りデータの補正を行う。
【００５９】
具体的には、画像データ取得開始直後のＣＩＳ５２ａ〜５２ｃの補正データ作成部６６ａ〜６６ｃの読み取りデータを基準データDstとし、原稿読み取り時の補正データ作成部６６ａ〜６６ｃの読み取りデータを経時データDtempとしたとき、光量変動検知／補正部９２は、Dst−Dtemp＝Ddiffとして、Ddiff＞Dthの場合に、光源６１ａ〜６１ｃの光量が補正を必要とする程度に変動したと判断して、原稿Ｇの読み取りデータに対して光量変動に基づくデータ補正を行う。なお、Dthは、任意に設定可能な閾値である。また、基準データDst及び読み取りデータ、経時データDtempは、１ライン毎に読み取ったデータであってもよいし、副走査方向に数ライン分を平均化したデータであってもよい。
【００６０】
光量変動検知／補正部９２は、Ddiff＞Dthとなった場合に、次のライン以降の原稿Ｇの読み取り画像データDinに対して、次式（１）で示すように、係数α（α＝Dst/Dtemp）を読み取り画像データDinに乗算する演算処理を行って補正後の出力データDoutを生成する。
【００６１】
Dout＝Din×Dst／Dtemp・・・（１）
また、光量変動検知／補正部９２は、上記演算による補正を原稿Ｇの画像データに対して行うだけでなく、該補正ライン以降においては、補正データ作成部６６ａ〜６６ｃの読み取りデータである経時データDtempに対しても、係数αを乗算して補正経時データDtempaを求め、Dst−Dtempa＝Ddiffaを演算して、演算結果のDdiffaを閾値Dthと比較して、Ddiffa＞Dthとなった場合に、再度、係数αを乗算して出力データDoutを算出する補正を行う。
【００６２】
なお、光量変動検知／補正部９２による画像データの補正方法としては、上記方法に限るものではなく、例えば、原稿Ｇの読み取り画像データDinに乗算する係数を、徐々に大きくして、最終的な目標に到達させるようにしてもよい。すなわち、閾値Dthを大きくすると、その分だけ画像データに対して大きな係数αがかかるため、副走査方向に段差が見えるおそれがある。そこで、段差を軽減するために、Ddiff＞Dthのときに、画像データDinに乗算する係数βを、次式（２）に示すように、徐々に大きくして、最終的な目標に到達させる演算を行って、出力データDoutを生成するようにしてもよい。
【００６３】
β＝Dst／（Dtemp＋Ddiff×（１−exp（−Lc／（Lt／５））））・・・（２）
ここで、Lcは、Ddiff＞Dthが検知されてからのライン数であり、Ltは、任意に設定可能な副走査ライン数である。
【００６４】
上記式（２）の係数βは、例えば、図１１に示すように、副走査ライン数Ltの間に約９９％（＝５τ）追従を行うための係数であり、時定数と同様である。例えば、１０ｍｍ（≒２３６ライン＝Lt）の副走査長さの間に、９９％追従させるためには、図１１の場合、２２０ライン程度が必要である。
【００６５】
そして、光量変動検知／補正部９２は、次式（３）に示すように、上記係数βを画像データDinに乗算して出力データを生成する。
【００６６】
Dout＝Din×β・・・（３）
なお、デジタル複写装置１は、センサ部４２がカラー画像を読み取って、Ｒ（レッド）、Ｇ（グリーン）、Ｂ（ブルー）のカラー画像データを出力する場合、ＲＧＢの各画像データに対して上記光量補正処理を施してもよいし、ＲＧＢのうち１色、例えば、Ｇの画像データのみから補正係数を算出して、算出した補正係数を、Ｒの画像データ、Ｂの画像データ及びＧの画像データに対して乗算して補正するようにしてもよい。
【００６７】
また、本実施例においては、ＣＩＳ５２ａ〜５２ｃの一方側端部を補正データ作成部６６ａ〜６６ｃとして、該補正データ作成部６６ａ〜６６ｃに対向する位置に配置された基準板５３ａ〜５３ｃを該補正データ作成部６６ａ〜６６ｃが読み取った基準データに基づいて、光量変動を検出して補正を行っているが、上述のように、ＣＩＳ５２ａ〜５２ｃの両側の端部を補正データ作成部として、該両側の補正データ作成部の読み取った基準板の読み取りデータに基づいて光量変動の検出と補正を行ってもよい。この場合、光量変動検知／補正部９２は、ＣＩＳ５２ａ〜５２ｃの両側の補正データ作成部が読み取った基準板の読み取りデータの平均値を用いて光量変動を検知して、補正を行うようにしてもよい。このようにすると、ＣＩＳ５２ａ〜５２ｃの両端側で光量に相違がある場合にも、平均化した光量変動を検出して、適切な光量検出と補正を行うことができる。
【００６８】
さらに、本実施例のデジタル複写装置１は、光量変動検知／補正部９２が、シェーディング補正部９１の次段に配設されていて、シェーディング補正後のデータに基づいて、光量変動の検知と係数の算出を行っているが、光量変動の有無を検知することができればよいので、シェーディング補正前のデータに基づいて光量変動の検知と係数の算出を行って、光量変動に対する画像データの補正を行ってもよい。
【００６９】
このように、本実施例のデジタル複写装置１は、コンタクトガラス５１を挟んで原稿Ｇと反対側に配設され、該原稿Ｇで反射された光源６１ａ〜６１ｃからの読み取り光を光電変換して該原稿Ｇの画像を読み取って画像データを出力するとともに原稿搬送方向（副走査方向）に所定量位置ずれしてそれぞれの端部の原稿読み取り範囲（原稿読み取り領域）が所定量重なり合った状態で、主走査方向に延在する複数のＣＩＳ５２ａ〜５２ｃがコンタクトガラス５１を挟んで原稿Ｇと反対側に配設されていて、該ＣＩＳ５２ａ〜５２ｃの重なり合い部分のうち所定領域部分を繋ぎ部６４、６５として、該重なり合っているＣＩＳ５２ａとＣＩＳ５２ｂの繋ぎ部分６４及びＣＩＳ５２ｂとＣＩＳ５２ｃの繋ぎ部分６５が読み取る画像データを繋ぎ合わせて原稿画像データを取得するとともに、ＣＩＳ５２ａ〜５２ｃの端部のうち少なくとも一方側端部の有効画像範囲（読み取り可能領域）内であって原稿読み取り範囲（原稿読み取り領域）外の所定領域部分を補正データ作成部（基準データ取得部）６６ａ〜６６ｃとして、該補正データ作成部６６ａ〜６６ｃに対向するとともにコンタクトガラス６１のＣＩＳ５２ａ〜５２ｃ側の面に配設されている基準板５３ａ〜５３ｃを、原稿読み取り時に、ＣＩＳ５２ａ〜５２ｃの補正データ作成部６６ａ〜６６ｃが読み取って出力する基準データに基づいて光源６１ａ〜６１ｃの光量変動を検知し、該検知結果に基づいて、ＣＩＳ５２ａ〜５２ｃの読み取った画像データを補正する補正処理を行っている。
【００７０】
したがって、ＣＩＳ５２ａ〜５２ｃの原稿読み取り範囲（原稿読み取り領域）を超える幅を有する長尺原稿Ｇの読み取り時においても、該原稿Ｇを読み取るＣＩＳ５２ａ〜５２ｃによって基準板５３ａ〜５３ｃを読み取って、正確に光源６１ａ〜６１ｃの光量変動を検出することができ、該光量変動の検出結果に基づいてＣＩＳ５２ａ〜５２ｃの読み取った原稿の画像データを補正することができる。その結果、光源光量の変動による画像品質の劣化を補正することができ、読み取り画像の画像品質を向上させることができる。
【００７１】
また、本実施例のデジタル複写装置１は、センサ部４２が、コンタクトガラス５１の原稿Ｇが搬送される側であって、センサ部４２の全てのＣＩＳ５２ａ〜５２ｃが読み取り可能な状態で配設され、白基準データを提供する圧板４４ａ、４４ｂと、ＣＩＳ５２ａ〜５２ｃが圧板４４ａ、４４ｂを読み取った白基準データに基づいて、該ＣＩＳ５２ａ〜５２ｃが原稿Ｇを読み取ったときの画像データにシェーディング補正を行うシェーディング補正部（シェーディング補正手段）９１と、ＣＩＳ５２ａ〜５２ｃの出力するデータの信号レベルを所定信号レベルに調整するＶＧＡ回路７２ａ〜７２ｃと、ＣＩＳ５２ａ〜５２ｃが圧板４４ａ、４４ｂを読み取った白基準データに基づいてＶＧＡ回路７２ａ〜７２ｃの信号レベル調整におけるゲインを設定するＡＧＣ回路（ゲイン設定手段）７４ａ〜７４ｃと、を備え、基準板５３ａ〜５３ｃは、少なくともＣＩＳ５２ａ〜５２ｃ側の面が、原稿読み取り前に、ＣＩＳ５２ａ〜５２ｃが圧板４４ａ、４４ｂを読み取った白基準データに基づいてＡＧＣ７４ａ〜７４ｃが設定したＶＧＡ回路７２ａ〜７２ｃのゲインによって該ＣＩＳ５２ａ〜５２ｃの補正データ作成部６６ａ〜６６ｃの出力する基準データの信号レベルを調整した場合に、該基準データの信号レベルが飽和未満であって、かつ、光源６１ａ〜６１ｃの光量が減衰した場合においても該基準データの信号レベルが「０」以上を維持する濃度の色に施されている。
【００７２】
したがって、光源６１ａ〜６１ｃの光量変動を、画像読み取り時のＣＩＳ５２ａ〜５２ｃの信号変動の範囲内で、より一層正確に検出することができる。
【００７３】
さらに、本実施例のデジタル複写装置１は、基準板５３ａ〜５３ｃのＣＩＳ５２ａ〜５２ｃ側の面を、基準データを提供する基準データ提供面として、少なくとも該基準データ提供面の全面が均一に上記濃度色に施されている。
【００７４】
したがって、光源６１ａ〜６１ｃの光量変動を、より一層正確に検出することができる。
【００７５】
この場合、基準板５３ａ〜５３ｃのＣＩＳ５２ａ〜５２ｃ側の上記基準データ提供面を、少なくとも、ＣＩＳ５２ａ〜５２ｃの繋ぎ部分６４、６５側に、上記濃度色とは異なる濃度色（上記説明では、黒色）が、所定幅で均一に施された状態としてもよい。
【００７６】
このようにすると、主走査繋ぎ目補正処理部９３の画像データに、基準板５３ａ〜５３ｃのフレアの影響を防止するために補正データ作成部６６ａ〜６６ｃと繋ぎ部６４、６５の間に設ける間隔を狭くすることができる。
【００７７】
さらに、本実施例のデジタル複写装置１は、ＣＩＳ５２ａ〜５２ｃが、データとして、ＲＧＢの各色のデータを出力し、光量変動検知／補正部９２が光量変動の検知結果に基づいて、ＣＩＳ５２ａ〜５２ｃの読み取った画像データを補正する補正係数をＲＧＢの各色の画像データに対して生成して、該補正係数を用いてＲＧＢの各画像データに対して補正を行っている。
【００７８】
したがって、ＲＧＢのカラー画像データに対して光量変動に応じて適切な補正係数によって補正することができ、光量変動の影響を抑制して画像品質を向上させることができる。
【００７９】
また、本実施例のデジタル複写装置１は、光量変動検知／補正部９２が、光量変動検知結果に基づいて、ＣＩＳ５２ａ〜５２ｃの読み取った画像データを補正する補正係数をＲＧＢのうち１色の画像データに対してのみ生成し、該補正係数を用いてＲＧＢの各画像データに対して補正を行っている。
【００８０】
したがって、ＲＧＢのカラー画像データに対して、簡単な構成で高速に、光量変動に応じて適切な補正係数によって補正することができ、光量変動の影響を抑制して画像品質を向上させることができる。
【実施例２】
【００８１】
図１２〜図１４は、本発明の画像読み取り装置及び画像形成装置の第２実施例を示す図であり、図１２は、本発明の画像読み取り装置及び画像形成装置の第２実施例を適用したデジタル複写装置１００の画像読み取り系統の要部ブロック構成図である。
【００８２】
なお、本実施例は、上記第１実施例のデジタル複写装置１と同様のデジタル複写装置に適用したものであり、本実施例の説明においては、上記第１実施例のデジタル複写装置１と同様の構成部分については、同一の符号を付与して、図示しない部分についても、第１実施例の説明で用いた符号をそのまま用いて説明する。
【００８３】
デジタル複写装置１００は、第１実施例のデジタル複写装置１と同様の構成であるが、画像読み取り系統において、図１２に示すように、センサ部１１０、ＣＰＵ８１、ＲＡＭ８２及び画像処理部１２０等を備えており、センサ部１１０と画像処理部１２０の一部が、第１実施例のデジタル複写装置１とは異なる。
【００８４】
センサ部１１０は、第１実施例のセンサ部４２と同様の千鳥状に配設された３つのＣＩＳ５２ａ〜５２ｃ、各ＣＩＳ５２ａ〜５２ｃ用のＡ／Ｄ変換部７０ａ〜７０ｃ等を備えているとともに、光源制御部１１１を備えている。光源制御部（補正手段）１１１は、各ＣＩＳ５２ａ〜５２ｃの光源６１ａ〜６１ｃに対して、図１３に示す光源点灯信号（点灯信号）を出力して、光源６１ａ〜６１ｃの点灯／消灯を制御するとともに、後述する画像処理部１２０からの光量調整信号に基づいて光量調整する。すなわち、光源制御部１１１は、光源点灯用の所定周波数の光源点灯クロックを発生するクロック発生回路を内蔵または外部から所定周波数の光源点灯クロックが供給され、１ラインにおいて所定パルス数の光源点灯信号をＣＩＳ５２ａ〜５２ｃの光源６１ａ〜６１ｃに供給して、光源６１ａ〜６１ｃを点灯／消灯させる。光源６１ａ〜６１ｃは、図１３に示す光源点灯信号がＨｉｇｈの状態のときに点灯し、Ｌｏｗの状態のときに消灯する。光源点灯信号は、ＰＷＭ（Pulse Width Modulation）信号であり、光源制御部１１１は、画像処理部１２０から光量を増加または減少を指示する光量調整信号が入力されると、光源点灯信号のパルス幅またはパルス数を増減することで、光源６１ａ〜６１ｃの光量を調整する。なお、光源６１ａ〜６１ｃの光量を調整する方法としては、光源６１ａ〜６１ｃに供給している電流値を調整する方法を用いることができるが、電流値を変更すると、光源６１ａ〜６１ｃの色味が変化することがあるため、この色味の変化を考慮した光量制御や画像処理制御を行う必要がある。
【００８５】
画像処理部１２０は、第１実施例の画像処理部８３と同様のシェーディング補正部９１、主走査繋ぎ目補正処理部９３、メモリ９４ａ〜９４ｃ、副走査遅延処理部９５及び１ライン化部９６を備えているとともに、光量変動検知／補正部１２１を備えており、光量変動検知／補正部１２１以外の各部は、第１実施例と同様であるため、その説明を省略する。
【００８６】
光量変動検知／補正部（光量変動検知手段）１２１は、第１実施例の光量変動検知／補正部９２と同様の方法で、ＣＩＳ５２ａ〜５２ｃの補正データ作成部６６ａ〜６６ｃが読み取った基準板５３ａ〜５３ｃの読み取りデータ（基準データ）に基づいて光量変動の有無を検知する。すなわち、光量変動検知／補正部１２１は、Dst−Dtemp＝Ddiffとして、Ddiff＞Dthの場合に、光源６１ａ〜６１ｃの光量が補正を必要とする程度に変動したと判断し、光量変動を検知すると、センサ部１１０の光源制御部１１１に、光量を増加または減少を指示する光量調整信号を出力する。
【００８７】
次に、本実施例の作用について説明する。本実施例のデジタル複写装置１００は、センサ部１１０が千鳥状に配置された３つのＣＩＳ５２ａ〜５２ｃによって原稿の読み取りを行うとともに、コンタクトガラス５１の下面に配設されている基準板５３ａ〜５３ｃを、原稿読み取り時においてもＣＩＳ５２ａ〜５２ｃで読み取って光源６１ａ〜６１ｃの光量変動を検知して、光源光量を調整する。
【００８８】
すなわち、デジタル複写装置１００は、画像データ取得開始直後のＣＩＳ５２ａ〜５２ｃの補正データ作成部６６ａ〜６６ｃの読み取りデータを基準データDstとし、原稿Ｇ読み取り時の補正データ作成部６６ａ〜６６ｃの読み取りデータを経時データDtempとしたとき、光量変動検知／補正部１２１が、Dst−Dtemp＝Ddiffとして、Ddiff＞Dthの場合に、光源６１ａ〜６１ｃの光量が補正を必要とする程度に変動したと判断して、その光量の変動方向に応じた光量調整信号を光源制御部１１１に出力する。
【００８９】
光源制御部１１１は、光量調整信号が入力されると、該光量調整信号に基づいて、ＣＩＳ５２ａ〜５２ｃの光源６１ａ〜６１ｃに供給している光源点灯信号のパルス数を変化させることで、あるいは、パルス幅を変化させることで、光源６１ａ〜６１ｃの光量を増加調整または減少調整する。
【００９０】
まず、光源点灯信号のパルス数を変化させて光量調整する場合について、説明する。光源制御部１１１は、図１３に示すように、主走査同期信号が入力され、この主走査同期信号に応じて、所定の待ち時間ｔ０を空けて、光源点灯同期信号をアサートする。この主走査同期信号と光源点灯同期信号との間の待ち時間ｔ０は、適宜設定することができる。光源制御部１１１は、光源点灯同期信号に同期させて、光源点灯信号をアサートし、光源６１ａ〜６１ｃを点灯させ、１ライン周期の間に所定回数ｎだけ光源点灯信号をＨｉｇｈにすることで、すなわち、Ｈｉｇｈの所定パルス幅ｔ１を有する所定パルス数ｎの光源点灯信号を光源６１ａ〜６１ｃに供給することで、所定光量で光源６１ａ〜６１ｃを点灯させる。
【００９１】
したがって、光源６１ａ〜６１ｃは、１ラインのうち、光源点灯信号のＨｉｇｈの回数（パルス数）が多いほど、また、Ｈｉｇｈの期間（パルス幅）が長いほど、その光量が増加し、光源点灯信号のＨｉｇｈの回数（パルス数）が少ないほど、また、Ｈｉｇｈの期間（パルス幅）が短いほど、その光量が減少する。
【００９２】
そして、光源制御部１１１は、画像処理部１２０の光量変動検知／補正部１２１から光量調整信号が入力されると、光源点灯信号のパルス数を、光量調整信号の光量調整方向が光量を増加させる方向か、減少させる方向かによって、増加、または、減少させ、光源６１ａ〜６１ｃの光量を増加または減少させる。この場合、パルス数を変化させたときに発生する画像副走査方向の段差を軽減させるために、光源制御部１１１は、パルス数の増減を、１ライン周期に１個ずつとし、Ddiff＜Dthとなるラインまでパルス数を増減することで、段差を軽減させるようにしてもよい。なお、１ライン毎の光源点灯信号のパルス個数は任意に設定可能であるが、光源点灯信号のパルス数を増加させて光源光量を増加させる場合に、調整後のパルス数を増加させてもライン周期内に収まるように、光源光量調整前のパルス数を設定する。
【００９３】
次に、光源点灯信号のパルス幅を変化させて光量調整する場合について、説明する。図１３に示したように、光源点灯信号は、Ｈｉｇｈ期間（ｔ１）とＬｏｗ期間（ｔ２）が周期的に繰り返す。そして、光源点灯信号のＨｉｇｈ期間（ｔ１）を長くして、Ｌｏｗ期間（ｔ２）を短くすることで、すなわち、パルス幅を長くすることで、光源６１ａ〜６１ｃの光量を増加させることができ、逆に、Ｈｉｇｈ期間（ｔ１）を短くして、Ｌｏｗ期間（ｔ２）を長くすることで、すなわち、パルス幅を短くすることで、光源６１ａ〜６１ｃの光量を減少させる。すなわち、光源点灯信号のデューティ（Ｄｕｔｙ）値を調整することで、光量調整することができる。
【００９４】
そこで、光源制御部１１１は、画像処理部１２０の光量変動検知／補正部１２１から光量調整信号が入力されると、光量調整信号の光量調整方向が光量を増加させる方向か、減少させる方向かによって、光源点灯信号のパルス幅を、長く、または、短くして、光源６１ａ〜６１ｃの光量を増加または減少させる。
【００９５】
この場合、光源点灯信号のデューティ調整は、光源制御部１１１の動作クロックである光源点灯クロックの周波数に依存し、例えば、光源点灯信号のDuty調整が１％の精度で変化させることができる場合、ライン毎に１％ずつDutyを変えることで、副走査方向の画像段差を軽減させることができる。なお、１ライン毎のDutyの調整幅は、任意に設定可能である。
【００９６】
すなわち、デジタル複写装置１は、図１４に示すように、注目ラインである読み取り対象ラインにおいて、光量変動検知／補正部１２１が、光量変動検知、すなわち、Ddiff＞Dthを判断し（ステップＳ１０１）、光量変動が検知されないとき（ステップＳ１０１でＮＯのとき）には、次ラインの処理に移行する。光量変動検知／補正部１２１は、ステップＳ１０１で、光量変動を検知（ステップＳ１０１でＹＥＳ）すると、光源制御部１１１に光量調整信号を出力し、光源制御部１１１は、光源点灯信号のパルス数を増減（例えば、増加の場合、＋１）、または、ＰＷＭ幅を増減（例えば、増加の場合、＋１％）することで、光源６１ａ〜６１ｃの光量を増減させて（ステップＳ１０２）、次のラインの処理に移行する。
【００９７】
このように、本実施例のデジタル複写装置１００は、光量変動検知／補正部１２１の検知した光量変動検知結果に基づいて、光源制御部１１１が、光源６１ａ〜６１ｃに供給する光源点灯信号のパルス数を調整して該光源６１ａ〜６１ｃの光量を補正している。
【００９８】
したがって、長尺原稿Ｇの読み取り中に光源の光量が変動しても、光量を補正することができ、読み取り画像の画像品質を向上させることができる。
【００９９】
また、本実施例のデジタル複写装置１００は、光量変動検知／補正部１２１の検知した光量変動検知結果に基づいて、光源制御部１１１が、光源６１ａ〜６１ｃに供給する光源点灯信号のパルス幅を調整して該光源６１ａ〜６１ｃの光量を補正している。
【０１００】
したがって、長尺原稿Ｇの読み取り中に光源の光量が変動しても、光量を補正することができ、読み取り画像の画像品質を向上させることができる。
【０１０１】
さらに、上記各実施例においては、センサ部４２で原稿の画像を読み取った画像データに基づいて画像形成部５で画像形成媒体である用紙に電子写真方式で画像形成するデジタル複写装置１、１００に適用している。
【０１０２】
したがって、センサ部４２で長尺の原稿を読み取った画像データに基づいて画像形成部５で画像形成する場合に、光量変動に対応した高品質な画像を読み取って、画像形成することができる。
【実施例３】
【０１０３】
図１５は、本発明の画像読み取り装置及び画像形成装置の第３実施例を適用したデジタル複写装置２００の画像読み取り系統の要部ブロック構成図である。
【０１０４】
なお、本実施例は、上記第１実施例のデジタル複写装置１と同様のデジタル複写装置に適用したものであり、本実施例の説明においては、上記第１実施例のデジタル複写装置１と同様の構成部分については、同一の符号を付与して、図示しない部分についても、第１実施例の説明で用いた符号をそのまま用いて説明する。
【０１０５】
デジタル複写装置２００は、第１実施例のデジタル複写装置１と同様の構成であるが、画像読み取り系統において、図１５に示すように、センサ部２１０、ＣＰＵ８１、ＲＡＭ８２及び画像処理部２２０等を備えており、センサ部２１０と画像処理部２２０の一部が、第１実施例のデジタル複写装置１とは異なる。
【０１０６】
センサ部２１０は、第１実施例のセンサ部４２と同様の千鳥状に配設された３つのＣＩＳ５２ａ〜５２ｃ、各ＣＩＳ５２ａ〜５２ｃ用のＡ／Ｄ変換部７０ａ〜７０ｃ等を備えているとともに、各Ａ／Ｄ変換部７０ａ〜７０ｃには、画像処理部２２０からゲイン調整信号が入力される。
【０１０７】
画像処理部２２０は、第１実施例の画像処理部８３と同様のシェーディング補正部９１、主走査繋ぎ目補正処理部９３、メモリ９４ａ〜９４ｃ、副走査遅延処理部９５及び１ライン化部９６を備えているとともに、光量変動検知／補正部２２１を備えており、光量変動検知／補正部２２１以外の各部は、第１実施例と同様であるため、その説明を省略する。
【０１０８】
光量変動検知／補正部（光量変動検知手段）２２１は、第１実施例の光量変動検知／補正部９２と同様の方法で、ＣＩＳ５２ａ〜５２ｃの補正データ作成部６６ａ〜６６ｃが読み取った基準板５３ａ〜５３ｃの読み取りデータ（基準データ）に基づいて光量変動の有無を検知する。すなわち、光量変動検知／補正部２２１は、Dst−Dtemp＝Ddiffとして、Ddiff＞Dthの場合に、光源６１ａ〜６１ｃの光量が補正を必要とする程度に変動したと判断し、光量変動を検知すると、センサ部２１０の各Ａ／Ｄ変換部７０ａ〜７０ｃに、ゲインを増加または減少を指示するゲイン調整信号を出力する。
【０１０９】
そして、センサ部２１０の各Ａ／Ｄ変換部７０ａ〜７０ｃは、図６に示したように、ＳＨ回路７１ａ〜７１ｃ、ＶＧＡ７２ａ〜７２ｃ、ＡＤＣ７３ａ〜７３ｃ、ＡＧＣ回路７４ａ〜７４ｃ、クランプ回路７５ａ〜７５ｃ及びＴＧ＆Ｉ／Ｆ７６ａ〜７６ｃ等を備えている。
【０１１０】
クランプ回路７５ａ〜７５ｃは、ＡＣ結合コンデンサＣによって交流結合されたＣＩＳ５２ａ〜５２ｃのイメージセンサアレイ６３ａ〜６３ｃからの入力端子電位を規定し、ＳＨ回路７５ａ〜７５ｃは、ＡＣ結合コンデンサＣを介してＣＩＳ５２ａ〜５２ｃからの入力のうち、信号成分のみをサンプルホールドして（取り出して）、ＶＧＡ回路７２ａ〜７２ｃに出力する。ＶＧＡ回路（信号レベル調整手段）７２ａ〜７２ｃは、ＴＧ＆Ｉ／Ｆ７６ａ〜７６ｃから指定される増幅率で、ＳＨ回路７１ａ〜７１ｃによってサンプルホールドされたアナログ信号を増幅して、ＡＤＣ回路７３ａ〜７３ｃに出力し、ＡＤＣ回路（ゲイン設定手段）７３ａ〜７３ｃは、ＶＧＡ回路７２ａ〜７２ｃから入力されるアナログ信号をデジタル信号に変換して、外部に出力する。ＡＧＣ回路（ゲイン調整手段）７４ａ〜７４ｃは、原稿読み取り開始前においては、ＡＤＣ回路７３ａ〜７３ｃの出力する１ライン分のデジタル信号のピーク値を検出して、該ピーク値がＴＧ＆Ｉ／Ｆ７１ａ〜７１ｃから入力される白レベル目標値になるようにＶＧＡ回路７２ａ〜７２ｃのゲインを調整し、原稿読み取り中においては、読み取り開始時の補正データ作成用基準の読み取りデータを目標値として、１ライン毎、複数ライン毎、あるいは、複数ラインの平均値をモニタして、変動（適宜設定）を検知すると、読み取り開始時の補正データ作成用基準の読み取りデータに近づくように、自動的にＶＧＡ回路７２ａ〜７２ｃのゲインをコントロールして補正する。ＴＧ＆Ｉ／Ｆ７１ａ〜７１ｃは、ＣＩＳ５２ａ〜５２ｃのイメージセンサアレイ６３ａ〜６３ｃの駆動パルスを発生させるとともに、外部からの制御信号を上記各回路に出力する。
【０１１１】
ただし、Ａ／Ｄ変換部７０ａ〜７０ｃのゲイン調整を急激に行うと、画像副走査方向に濃度の段差が生じるため、本実施例のデジタル複合装置２００は、ゲインの調整を１ラインに毎に段階的に行う。
【０１１２】
次に、本実施例の作用について説明する。本実施例のデジタル複写装置２００は、センサ部２１０が千鳥状に配置された３つのＣＩＳ５２ａ〜５２ｃによって原稿の読み取りを行うとともに、コンタクトガラス５１の下面に配設されている基準板５３ａ〜５３ｃを、原稿読み取り開始時においてＣＩＳ５２ａ〜５２ｃで読み取って、光源６１ａ〜６１ｃの光量変動を検知して、センサ部２１０の該ＣＩＳ５２ａ〜５２ｃの読み取ったアナログの画像データをデジタル変換するＡ／Ｄ変換部７０ａ〜７０ｃのゲインを補正データ作成用基準の読み取りデータに調整し、原稿の読み取り時には、この補正データ作成用基準の読み取りデータを目標値としてゲイン調整する。
【０１１３】
すなわち、デジタル複写装置２００は、画像データ取得開始直後のＣＩＳ５２ａ〜５２ｃの補正データ作成部６６ａ〜６６ｃの読み取りデータを基準データDstとし、原稿Ｇ読み取り時の補正データ作成部６６ａ〜６６ｃの読み取りデータを経時データDtempとしたとき、光量変動検知／補正部２２１が、Dst−Dtemp＝Ddiffとして、Ddiff＞Dthの場合に、光源６１ａ〜６１ｃの光量が補正を必要とする程度に変動したと判断して、その光量の変動方向に応じたゲイン調整信号をセンサ部２１０の各Ａ／Ｄ変換部７０ａ〜７０ｃに出力する。
【０１１４】
Ａ／Ｄ変換部７０ａ〜７０ｃは、ゲイン調整信号が入力されると、該ゲイン調整信号に基づいて、ＣＩＳ５２ａ〜５２ｃから入力されるアナログをデジタル変換する際のＶＧＡ回路７２ａ〜７２ｃのゲインを、ＡＧＣ回路７４ａ〜７４ｃによって増加調整または減少調整する。
【０１１５】
このように、本実施例のデジタル複写装置１００は、光量変動検知／補正部２２１の検知した光量変動検知結果に基づいて、Ａ／Ｄ変換部７０ａ〜７０ｃのゲインを調整して、光量変動によるＣＩＳ５２ａ〜５２ｃの出力レベルを補正している。
【０１１６】
したがって、長尺原稿Ｇの読み取り中に光源の光量が変動しても、ＣＩＳ５２ａ〜５２ｃの出力レベル（信号レベル）を補正することができ、読み取り画像の画像品質を向上させることができる。
【０１１７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１１８】
本発明は、１ライン当たり複数のイメージセンサアレイが並べられた画像読み取り部で原稿の画像を読み取るスキャナ装置、複写装置、複合装置等の画像読み取り装置及び画像形成装置に利用することができる。
【符号の説明】
【０１１９】
１  デジタル複写装置
２  本体筐体
３  給紙部
４  搬送部
５  画像形成部
６  定着部
７  排紙部
８  画像読み取り部
１０  手差しトレイ
１１  原稿台
１２  排紙トレイ
Ｐ  用紙
２１  レジストローラ
２２  感光体
２３  光書き込み部
３０  紙折り装置
３１  連結部
３２  耳折り部
３３  ジャバラ折り部
３４  搬送切り換え装置
３５  反転装置
３６  回転装置
３７  トレイ
４１  前ローラ対
４２  センサ部
４３  後ローラ対
４４ａ、４４ｂ  圧板
５０  センサ本体筐体
５１  コンタクトガラス
５２ａ、５２ｂ、５２ｃ  ＣＩＳ
５３ａ〜５３ｃ  基準板
６１ａ〜６１ｃ  光源
６２ａ〜６２ｃ  レンズ
６３ａ〜６３ｃ  イメージセンサアレイ
６４、６５  繋ぎ部
６６ａ〜６６ｃ  補正データ作成部
７０ａ  Ａ／Ｄ変換部
７１ａ  ＳＨ回路
７２ａ  ＶＧＡ
７３ａ  ＡＤＣ
７４  ＡＧＣ回路
７５ａ  クランプ回路
７６ａ  ＴＧ＆Ｉ／Ｆ
８１  ＣＰＵ
８２  ＲＡＭ
８３  画像処理部
９１  シェーディング補正部
９２  光量変動検知／補正部
９３  主走査繋ぎ目補正処理部
９４ａ〜９４ｃ  メモリ
９５  副走査遅延量（位置合わせ）処理部
９６  １ライン化（画像データ出力）部
１００  デジタル複写装置
１１０  センサ部
１２０  画像処理部
１２１  光量変動検知／補正部
２００  デジタル複合装置
２１０  センサ部
２２０  画像処理部
２２１  光量変動検知／補正部
【先行技術文献】
【特許文献】
【０１２０】
【特許文献１】特開２００９−１０５０７号公報
【図１】
2012010320.tif 000003
【図２】
2012010320.tif 000004
【図３】
2012010320.tif 000005
【図４】
2012010320.tif 000006
【図５】
2012010320.tif 000007
【図６】
2012010320.tif 000008
【図７】
2012010320.tif 000009
【図８】
2012010320.tif 000010
【図９】
2012010320.tif 000011
【図１０】
2012010320.tif 000012
【図１１】
2012010320.tif 000013
【図１２】
2012010320.tif 000014
【図１３】
2012010320.tif 000015
【図１４】
2012010320.tif 000016
【図１５】
2012010320.tif 000017
【図１６】
2012010320.tif 000018
【図１７】
2012010320.tif 000019